【手続補正書】
【提出日】平成17年11月4日(2005.11.4)
【手続補正１】
【補正対象書類名】明細書
【補正対象項目名】特許請求の範囲
【補正方法】変更
【補正の内容】
【特許請求の範囲】
【請求項１】
硬貨等の投入により使用者を撮影してその撮影画像をプリントして販売する写真プリント提供装置において、
撮像領域内の使用者を含む被写体を撮像するカメラと、
あらかじめ準備され記憶されたフレーム画像と背景画像の組み合わせの中から、所望のフレーム画像と背景画像の組合せの選択を可能とする選択手段と、
上記カメラによる撮像映像と、選択された組み合わせのフレーム画像および背景画像とがリアルタイム合成された合成動画をリアルタイム表示する表示手段と、
上記カメラのシャッタを動作させて静止画を撮影する撮影手段と、
上記撮影手段において撮影されたフレーム画像と背景画像と静止画の静止合成画像を表示し、タッチペンの操作により編集用画像の入力を受け付ける受付手段と、
上記受付手段で編集用画像を受け付けた編集後の静止合成画像を印刷する印刷手段とを備えたことを特徴とする画像プリント作成装置。
【請求項２】
上記選択手段で選択された組み合わせと同じ組み合わせのフレーム画像および背景画像によって、上記撮影手段による撮影を所定回数繰り返す請求項１記載の画像プリント作成装置。
【請求項３】
将来的に上記選択手段により選択が可能となるフレーム画像と背景画像の組合せを予告表示する予告表示手段を備えている請求項１または２記載の画像プリント作成装置。
【請求項４】
上記受付手段における編集用画像の受付において、上記選択手段で選択された組み合わせのフレーム画像と背景画像のうち、フレーム画像および／または背景画像の変更を可能とする変更手段を備えた請求項１〜３のいずれか一項に記載の画像プリント作成装置。
【請求項５】
上記受付手段における編集用画像の受付において、上記選択手段で選択された組み合わせのフレーム画像と背景画像のうち、フレーム画像および／または背景画像を１回の操作による消去を可能とする消去手段を備えた請求項１〜４のいずれか一項に記載の画像プリント作成装置。
【請求項６】
硬貨等の投入により使用者を撮影してその撮影画像をプリントして販売する写真プリント提供装置における写真プリント提供方法において、
あらかじめ準備され記憶されたフレーム画像と背景画像の組み合わせの中から、所望のフレーム画像と背景画像の組合せの選択を可能とする選択ステップと、
撮像領域内の使用者を含む被写体を撮像するカメラによる撮像映像と、選択された組み合わせのフレーム画像および背景画像とがリアルタイム合成された合成動画をリアルタイム表示する表示ステップと、
上記カメラのシャッタを動作させて静止画を撮影する撮影ステップと、
上記撮影手段において撮影されたフレーム画像と背景画像と静止画の静止合成画像を表示し、タッチペンの操作により編集用画像の入力を受け付ける受付ステップと、
上記受付手段で編集用画像を受け付けた編集後の静止合成画像を印刷する印刷ステップとを備えたことを特徴とする画像プリント作成方法。
【手続補正２】
【補正対象書類名】明細書
【補正対象項目名】０００８
【補正方法】変更
【補正の内容】
【０００８】
【課題を解決するための手段】
上記の目的を達成するため、本発明の写真プリント提供装置は、硬貨等の投入により使用者を撮影してその撮影画像をプリントして販売する写真プリント提供装置において、
撮像領域内の使用者を含む被写体を撮像するカメラと、
あらかじめ準備され記憶されたフレーム画像と背景画像の組み合わせの中から、所望のフレーム画像と背景画像の組合せの選択を可能とする選択手段と、
上記カメラによる撮像映像と、選択された組み合わせのフレーム画像および背景画像とがリアルタイム合成された合成動画をリアルタイム表示する表示手段と、
上記カメラのシャッタを動作させて静止画を撮影する撮影手段と、
上記撮影手段において撮影されたフレーム画像と背景画像と静止画の静止合成画像を表示し、タッチペンの操作により編集用画像の入力を受け付ける受付手段と、
上記受付手段で編集用画像を受け付けた編集後の静止合成画像を印刷する印刷手段とを備えたことを要旨とする。
また、本発明の写真プリント提供方法は、硬貨等の投入により使用者を撮影してその撮影画像をプリントして販売する写真プリント提供装置における写真プリント提供方法において、
あらかじめ準備され記憶されたフレーム画像と背景画像の組み合わせの中から、所望のフレーム画像と背景画像の組合せの選択を可能とする選択ステップと、
撮像領域内の使用者を含む被写体を撮像するカメラによる撮像映像と、選択された組み合わせのフレーム画像および背景画像とがリアルタイム合成された合成動画をリアルタイム表示する表示ステップと、
上記カメラのシャッタを動作させて静止画を撮影する撮影ステップと、
上記撮影手段において撮影されたフレーム画像と背景画像と静止画の静止合成画像を表示し、タッチペンの操作により編集用画像の入力を受け付ける受付ステップと、
上記受付手段で編集用画像を受け付けた編集後の静止合成画像を印刷する印刷ステップとを備えたことを要旨とする。
【手続補正３】
【補正対象書類名】明細書
【補正対象項目名】０００９
【補正方法】変更
【補正の内容】
【０００９】
すなわち、本発明は、使用者は、従来のように、あらかじめひとつに決められたフレーム画像に応じてシャッタ操作を行なうのではなく、リアルタイム表示される使用者自身の映像と、組み合わせとしてのフレーム画像および背景画像とのリアルタイム合成映像をリアルタイムで目視確認できる。このため、所望のフレーム画像および背景画像を探したり、フレーム画像および背景画像の絵柄に合わせたポーズや表情を決めるなど、趣向を凝らした撮影プレイが可能となる。また、フレーム画像および背景画像と撮像映像が実際に合成された状態で数多くの記憶画像のなかから所望の記憶画像を選択できるため、そのときの服装や髪型、あるいはその時の気分やプレイ仲間が誰か等に応じた最適なフレーム画像および背景画像の選択を行ないやすくなる。また、予め用意された組合わせの中から選択すればよいので、フレーム画像と合成画像をそれぞれ別個に選択する必要がなく利用者にとっても便利である。
【手続補正４】
【補正対象書類名】明細書
【補正対象項目名】００１０
【補正方法】変更
【補正の内容】
【００１０】
本発明において、将来的に上記選択手段により選択が可能となるフレーム画像と背景画像の組合せを予告表示する予告表示手段を備えている場合には、利用者は、将来的に使用可能となるフレーム画像と背景画像の組合せの予告表示を見て気に入った組み合わせがあればまた利用したいと考えることから、利用者のリピート効果の増大に繋がる。また、利用者に対して飽きのこないプレイを提供できるようになる。
本発明において、上記受付手段における編集用画像の受付において、上記選択手段で選択された組み合わせのフレーム画像と背景画像のうち、フレーム画像および／または背景画像の変更を可能とする変更手段を備えた場合には、選択手段によって選択した組み合わせのフレーム画像と背景画像があとになって気に入らなくなったような場合に、印刷前に変更してより納得のいく写真プリントを提供することができる。
本発明において、上記受付手段における編集用画像の受付において、上記選択手段で選択された組み合わせのフレーム画像と背景画像のうち、フレーム画像および／または背景画像を１回の操作による消去を可能とする消去手段を備えた場合には、選択手段によって選択した組み合わせのフレーム画像と背景画像があとになって気に入らなくなったような場合に、１回の操作でフレーム画像や背景画像が消去されることから操作性がよい。
【手続補正５】
【補正対象書類名】明細書
【補正対象項目名】００１１
【補正方法】変更
【補正の内容】
【００１１】
本発明において、上記記憶画像格納部から読み出された記憶画像と撮像映像をリアルタイム合成し、その合成映像をリアルタイム表示して被写体に合成映像の目視確認を可能とする。そして、使用者による操作により記憶画像格納部に格納されている記憶画像の一覧から記憶画像の切換入力を可能とし、この切換入力に応じて、撮像映像に合成する記憶画像を切換えてリアルタイム合成するとともに、リアルタイム合成された合成映像をリアルタイムで切換表示し、上記切換表示される合成映像のうち所望の記憶画像が使用された合成映像を決定して所定タイミングの静止画として固定し、写真プリントとして提供する場合には、使用者は、従来のように、あらかじめひとつに決められたフレーム画像に応じてシャッタ操作を行なうのではなく、リアルタイム表示される使用者自身の映像と、切換表示されるフレーム等の記憶画像とのリアルタイム合成映像を目視確認しながら、順次記憶画像の切換入力を行なうとともに、その合成映像をリアルタイムで目視確認できる。このため、所望の記憶画像を探したり、記憶画像の絵柄に合わせたポーズや表情を決めるなど、趣向を凝らした撮影プレイが可能となる。また、記憶画像と撮像映像が実際に合成された状態で数多くの記憶画像のなかから所望の記憶画像を選択できるため、そのときの服装や髪型、あるいはその時の気分やプレイ仲間が誰か等に応じた最適な記憶画像の選択を行ないやすくなる。
【手続補正６】
【補正対象書類名】明細書
【補正対象項目名】０１４０
【補正方法】変更
【補正の内容】
【０１４０】
また、上記ツール選択部７３でフレームボタン７３ｂが選択された場合、この編集入力選択部７２には、各種のフレームがアイコンまたはサムネイル７４で表示され、上記アイコンまたはサムネイル７４をタッチペン１２で選択することにより、らくがき入力部６３に表示された静止合成画像５８で使用されたフレームを、ここで選択したフレームに変更できるようになっている。